(57)【要約】ＣＰＵユニット内のユーザプログラム、外部記憶装置内のユーザプログラムの新旧を確認する必要がなく外部記憶装置をＣＰＵユニットに接続するだけで処理を実施でき、作業者が誤ってデータを書換えてしまうのを防止することができる情報処理装置を提供する。本発明を実施するため、本発明に係る情報処理装置では、複数の設定パラメータから選択された設定パラメータが外部記憶装置及びＣＰＵユニットに設定され、外部記憶装置及びＣＰＵユニットに設定された設定パラメータを比較して、一致した場合にはＣＰＵユニットに記憶されたユーザプログラムと外部記憶装置に記憶されたユーザプログラムが保存された時間の新旧を比較により判断して、一致したＣＰＵユニットの設定パラメータと外部記憶装置の設定パラメータにより更新処理、バックアップ処理あるいはリストア処理を行う。
2012085963.tif 000002
【特許請求の範囲】
【請求項１】
ＣＰＵユニットと前記ＣＰＵユニットに接続された外部記憶装置を有する情報処理装置において、
第２のユーザプログラム及び前記第２のユーザプログラムの付属データが記憶され、前記ＣＰＵユニットにて行われる複数の処理を設定する設定パラメータが記憶されるとともに前記複数の設定パラメータから第２の設定パラメータが選択され設定された外部記憶装置と、
第１のユーザプログラム及び前記第１のユーザプログラムの付属データが記憶され、前記ＣＰＵユニットにて行われる複数の処理を設定する設定パラメータが記憶されるとともに前記複数の設定パラメータから第１の設定パラメータが選択され設定された前記ＣＰＵユニット内の記憶部と、
前記第１のユーザプログラム、前記第１のユーザプログラムの付属データ及び前記第１の設定パラメータを前記記憶部から読み出し、前記第２のユーザプログラム、前記第２のユーザプログラムの付属データ及び前記第２の設定パラメータを前記外部記憶装置から読み出す前記ＣＰＵユニット内のＩ／Ｏ制御部と、
前記第１のユーザプログラムの付属データに含まれる固有情報と前記第２のユーザプログラムの付属データに含まれる固有情報とが同一である前記第１のユーザプログラム及び前記第２のユーザプログラムが保存された時間の新旧を、前記第１のユーザプログラムの付属データに含まれる時間情報と前記第２のユーザプログラムの付属データに含まれる時間情報との比較により判断する時間情報判断部と、
前記外部記憶装置及び前記記憶部に記憶された複数の設定パラメータは少なくとも更新処理、バックアップ処理及びリストア処理を設定する設定パラメータを含み、前記第１の設定パラメータ及び前記第２の設定パラメータとの一致を比較して、一致している場合には一致した前記第１の設定パラメータ及び前記第２の設定パラメータにより処理する前記ＣＰＵユニット内の比較・演算部と、
を備えたことを特徴とする情報処理装置。
【請求項２】
ＣＰＵユニットと前記ＣＰＵユニットに接続された外部記憶装置を有する情報処理装置において、
第２のユーザプログラム及び前記第２のユーザプログラムの付属データが記憶され、前記ＣＰＵユニットにて行われる処理を設定する設定パラメータが第２の設定パラメータとして設定された外部記憶装置と、
第１のユーザプログラム及び前記第１のユーザプログラムの付属データが記憶され、前記ＣＰＵユニットにて行われる複数の処理を設定する設定パラメータが記憶されるとともに前記複数の設定パラメータから第１の設定パラメータが選択され設定された前記ＣＰＵユニット内の記憶部と、
前記第１のユーザプログラム、前記第１のユーザプログラムの付属データ及び前記第１の設定パラメータを前記記憶部から読み出し、前記第２のユーザプログラム、前記第２のユーザプログラムの付属データ及び前記第２の設定パラメータを前記外部記憶装置から読み出す前記ＣＰＵユニット内のＩ／Ｏ制御部と、
前記第１のユーザプログラムの付属データに含まれる固有情報と前記第２のユーザプログラムの付属データに含まれる固有情報とが同一である前記第１のユーザプログラム及び前記第２のユーザプログラムが保存された時間の新旧を、前記第１のユーザプログラムの付属データに含まれる時間情報と前記第２のユーザプログラムの付属データに含まれる時間情報との比較により判断する時間情報判断部と、
前記記憶部に記憶された複数の設定パラメータは少なくとも更新処理、バックアップ処理及びリストア処理を設定する設定パラメータを含み、前記第１の設定パラメータ及び前記第２の設定パラメータとが一致している場合には一致した前記第１の設定パラメータ及び前記第２の設定パラメータにより処理する前記ＣＰＵユニット内の比較・演算部と、
を備えたことを特徴とする情報処理装置。
【請求項３】
前記ＣＰＵユニットに設定された前記第１の設定パラメータは前記ＣＰＵユニットに設けられたスイッチの切り替えにより選択されて設定された設定パラメータであり、
前記外部記憶装置に設定された前記第２の設定パラメータは前記外部記憶装置に設けられたスイッチの切り替えにより選択されて設定された設定パラメータである
ことを特徴とする請求項１又は２に記載の情報処理装置。
【請求項４】
ＣＰＵユニットと前記ＣＰＵユニットに接続された外部記憶装置を有する情報処理装置において、
第２のユーザプログラム及び前記第２のユーザプログラムの付属データが記憶され、前記ＣＰＵユニットにて行われる複数の処理を設定する設定パラメータが記憶されるとともに前記複数の設定パラメータから設定パラメータが選択され設定された外部記憶装置と、
第１のユーザプログラム及び前記第１のユーザプログラムの付属データが記憶された前記ＣＰＵユニット内の記憶部と、
前記第１のユーザプログラム及び前記第１のユーザプログラムの付属データを前記記憶部から読み出し、前記第２のユーザプログラム、前記第２のユーザプログラムの付属データ及び前記複数の設定パラメータから選択され設定された設定パラメータを前記外部記憶装置から読み出す前記ＣＰＵユニット内のＩ／Ｏ制御部と、
前記第１のユーザプログラムの付属データに含まれる固有情報と前記第２のユーザプログラムの付属データに含まれる固有情報とが同一である前記第１のユーザプログラム及び前記第２のユーザプログラムが保存された時間の新旧を、前記第１のユーザプログラムの付属データに含まれる時間情報と前記第２のユーザプログラムの付属データに含まれる時間情報との比較により判断する時間情報判断部と、
前記外部記憶装置に記憶された複数の設定パラメータは少なくとも更新処理、バックアップ処理及びリストア処理を設定する設定パラメータを含み、前記複数の設定パラメータから選択され設定された設定パラメータにより処理する前記ＣＰＵユニット内の比較・演算部と、
を備えたことを特徴とする情報処理装置。
【請求項５】
前記複数の設定パラメータから選択され設定された設定パラメータは前記外部記憶装置に設けられたスイッチの切り替えにより選択されて設定された設定パラメータである
ことを特徴とする請求項４に記載の情報処理装置。
【請求項６】
ＣＰＵユニットと前記ＣＰＵユニットに接続された外部記憶装置を有する情報処理装置において、
第２のユーザプログラム及び前記第２のユーザプログラムの付属データが記憶された外部記憶装置と、
第１のユーザプログラム及び前記第１のユーザプログラムの付属データが記憶され、前記ＣＰＵユニットにて行われる複数の処理を設定する設定パラメータが記憶されるとともに前記複数の設定パラメータから設定パラメータが選択され設定された前記ＣＰＵユニット内の記憶部と、
前記第１のユーザプログラム、前記第１のユーザプログラムの付属データ及び前記複数の設定パラメータから選択され設定された設定パラメータを前記記憶部から読み出し、前記第２のユーザプログラム及び前記第２のユーザプログラムの付属データを前記外部記憶装置から読み出す前記ＣＰＵユニット内のＩ／Ｏ制御部と、
前記第１のユーザプログラムの付属データに含まれる固有情報と前記第２のユーザプログラムの付属データに含まれる固有情報とが同一である前記第１のユーザプログラム及び前記第２のユーザプログラムが保存された時間の新旧を、前記第１のユーザプログラムの付属データに含まれる時間情報と前記第２のユーザプログラムの付属データに含まれる時間情報との比較により判断する時間情報判断部と、
前記記憶部に記憶された複数の設定パラメータは少なくとも更新処理、バックアップ処理及びリストア処理を設定する設定パラメータを含み、前記複数の設定パラメータから選択され設定された設定パラメータにより処理する前記ＣＰＵユニット内の比較・演算部と、
を備えたことを特徴とする情報処理装置。
【請求項７】
前記複数の設定パラメータから選択され設定された設定パラメータは前記ＣＰＵユニットに設けられたスイッチの切り替えにより選択されて設定された設定パラメータである
ことを特徴とする請求項６に記載の情報処理装置。
【請求項８】
前記更新処理は、前記第１のユーザプログラムの付属データに含まれる日時情報が前記第２のユーザプログラムの付属データに含まれる日時情報よりも新しいと前記比較・演算部が判断した場合には、前記比較・演算部が前記第２のユーザプログラムを前記記憶部にコピーして書き換える処理であり、
前記バックアップ処理は、前記第１のユーザプログラムの付属データに含まれる日時情報が前記第２のユーザプログラムの付属データに含まれる日時情報よりも新しいと前記比較・演算部が判断した場合には、前記比較・演算部が前記第２のユーザプログラムを前記記憶部にコピーして書き換える処理であり、
前記リストア処理は、前記第１のユーザプログラムの付属データに含まれる日時情報と前記第２のユーザプログラムの付属データに含まれる日時情報との比較を行うことなく、前記比較・演算部が前記第２のユーザプログラムを前記プログラム記憶部にコピーして書き換える処理であることを特徴とする請求項１、２、４、６のいずれかに記載の情報処理装置。
【発明の詳細な説明】
【技術分野】
【０００１】
本発明は、ＣＰＵユニットと、そのＣＰＵユニットに接続されたユーザプログラム保存用の外部記憶装置からなる情報処理装置における、ユーザプログラム変更に関するものである。
【背景技術】
【０００２】
情報処理システムでは、制御する装置設備が動作中でも不具合の修正や動作調整のためにユーザプログラムの更新処理・バックアップ処理・リストア処理を行う必要がある。更新処理とは、装置設備の変更、不具合の修正や動作調整のために、ユーザプログラムにプログラムの追加、修正を行う処理である。このシステムにおいては、情報処理装置内のプログラムのバージョンと周辺装置内のプログラムのバージョンとを比較し、周辺装置内のプログラムのバージョンが新しい場合にのみ情報処理装置内のプログラムを更新する。従来は、情報処理装置に周辺装置を接続することにより、情報処理装置側のプログラムが自動的に更新されるシステムが提案されている。【０００３】
一方、情報処理装置内のユーザプログラムを周辺装置にコピーし、情報処理装置の故障等の問題が発生した場合、復旧できるように備えておくバックアップ処理や、バックアップ処理にて周辺装置にバックアップしたユーザプログラムを情報処理装置にコピーし、情報処理システムを復旧するリストア処理を行う必要が生じた場合には、パソコンを情報処理装置に接続し、パソコン上のプログラミングツールからユーザプログラムのバックアップ処理、リストア処理を実施する方法や、ＵＳＢフラッシュメモリ、ＳＤカード等の周辺装置を情報処理装置に接続し、情報処理装置の電源ＯＮもしくはスイッチのＯＮ、ＯＦＦによりバックアップ処理、リストア処理を行う方法を用いていた（例えば、特許文献１参照）。
【先行技術文献】
【特許文献】
【０００４】
【特許文献１】特開２０００−１８７６３３号公報（００４１段落、００４２段落）
【発明の概要】
【発明が解決しようとする課題】
【０００５】
しかしながら、情報処理装置を用いた装置設備では、必ずしもパソコンが常時接続されているわけでなく、パソコンが付近に設置されていない場合、ユーザプログラムの更新、バックアップ、リストア処理をするために、パソコンを準備する必要が生じる。しかし、装置設備付近は防塵室等特殊な環境下であることが多く、パソコンの調達、準備に多くの作業工数が発生する。【０００６】
また、前記処理のために、作業者はプログラミングツールの操作知識を必要とし、作業者の教育・訓練を必要とする。【０００７】
また、周辺装置を使用する方法においては、バックアップ・リストア処理の開始は、電源ＯＮもしくはスイッチのＯＮ、ＯＦＦ等によるものである。本方法では、作業者が外部記憶装置に保存されているデータ、ＣＰＵユニット内のデータの新旧を把握していない場合、作業者の電源ＯＮもしくはスイッチの誤操作によりユーザプログラムの誤更新（誤ってバックアップ、リストアを実施する）が発生してしまうという問題がある。【０００８】
またユーザプログラムの追加、修正処理についてはリストア処理と同じ手順で実行可能であるが、やはり作業者の誤操作によるユーザプログラムの誤更新といった問題がある。【０００９】
この発明は、上述のような課題を解決するためになされたものであり、複数の設定パラメータから選択されてＣＰＵユニットに設定された設定パラメータと、複数の設定パラメータから選択されて外部記憶装置に設定された設定パラメータとを比較して、一致した場合にはＣＰＵユニットに記憶されたユーザプログラムと外部記憶装置に記憶されたユーザプログラムが保存された時間の新旧を比較により判断して、一致したＣＰＵユニットの設定パラメータと外部記憶装置の設定パラメータにより処理するので、作業者はＣＰＵユニット内のユーザプログラム、外部記憶装置内のユーザプログラムの新旧を確認する必要がなく外部記憶装置をＣＰＵユニットに接続するだけで処理を実施でき、作業者が誤ってデータを書換えてしまうのを防止することができる情報処理装置を得ることを目的とする。
【課題を解決するための手段】
【００１０】
この発明に係る情報処理装置は、ＣＰＵユニットとＣＰＵユニットに接続された外部記憶装置を有する情報処理装置において、第２のユーザプログラム及び第２のユーザプログラムの付属データが記憶され、ＣＰＵユニットにて行われる複数の処理を設定する設定パラメータが記憶されるとともに複数の設定パラメータから第２の設定パラメータが選択され設定された外部記憶装置と、第１のユーザプログラム及び第１のユーザプログラムの付属データが記憶され、ＣＰＵユニットにて行われる複数の処理を設定する設定パラメータが記憶されるとともに複数の設定パラメータから第１の設定パラメータが選択され設定されたＣＰＵユニット内の記憶部と、第１のユーザプログラム、第１のユーザプログラムの付属データ及び第１の設定パラメータを記憶部から読み出し、第２のユーザプログラム、第２のユーザプログラムの付属データ及び第２の設定パラメータを外部記憶装置から読み出すＣＰＵユニット内のＩ／Ｏ制御部と、第１のユーザプログラムの付属データに含まれる固有情報と第２のユーザプログラムの付属データに含まれる固有情報とが同一である第１のユーザプログラム及び第２のユーザプログラムが保存された時間の新旧を、第１のユーザプログラムの付属データに含まれる時間情報と第２のユーザプログラムの付属データに含まれる時間情報との比較により判断する時間情報判断部と、外部記憶装置及び記憶部に記憶された複数の設定パラメータは少なくとも更新処理、バックアップ処理及びリストア処理を設定する設定パラメータを含み、第１の設定パラメータ及び第２の設定パラメータとの一致を比較して、一致している場合には一致した第１の設定パラメータ及び第２の設定パラメータにより処理するＣＰＵユニット内の比較・演算部とを備えたものである。
【発明の効果】
【００１１】
この発明に係る情報処理装置によれば、複数の設定パラメータから選択された設定パラメータが外部記憶装置及びＣＰＵユニットに設定され、外部記憶装置及びＣＰＵユニットに設定された設定パラメータを比較して、一致した場合にはＣＰＵユニットに記憶されたユーザプログラムと外部記憶装置に記憶されたユーザプログラムが保存された時間の新旧を比較により判断して、一致したＣＰＵユニットの設定パラメータと外部記憶装置の設定パラメータにより処理するので、作業者はＣＰＵユニット内のユーザプログラム、外部記憶装置内のユーザプログラムの新旧を確認する必要がなく外部記憶装置をＣＰＵユニットに接続するだけで処理を実施でき、作業者が誤ってデータを書換えてしまうのを防止することができる。
【図面の簡単な説明】
【００１２】
【図１】この発明の実施の形態１による情報処理装置の機能構成を示すブロック図である。
【図２】この発明の実施の形態１による情報処理装置のＣＰＵユニットの動作を示すフロー図である。
【図３】この発明の実施の形態１による情報処理装置のＣＰＵユニットの動作を示す別のフロー図である。
【図４】この発明の実施の形態１による情報処理装置のＣＰＵユニットの動作を示す別のフロー図である。
【発明を実施するための形態】
【００１３】
実施の形態１．
以下、本発明を実施するための形態について、図面を参照して説明する。
【００１４】
本実施の形態１における情報処理装置について説明する。情報処理装置はＣＰＵユニット及び外部記憶装置からなる。もっとも、ＣＰＵユニット及び外部記憶装置のみに限定されるものではなく、その他電源ユニット、ベースユニット等の各種ユニットから構成されても良い。図１は、情報処理装置の機能構成を示すブロック図であり、ＣＰＵユニットに外部記憶装置が接続された状態を示す。
【００１５】
図１において、情報処理装置１１５（例えばプログラマブルコントローラ）はＣＰＵユニット１０１及び外部記憶装置１１１から構成されている。ＣＰＵユニット１０１は、更新処理、バックアップ処理あるいはリストア処理を示す３つの設定パラメータから第１の設定パラメータ１１６を選択するスイッチ及び電源ＯＮ／ＯＦＦ用のスイッチからなるスイッチ１０４を有する。また、ＣＰＵユニット１０１は、データを読み出すＩ／Ｏ制御部１０５、全ての処理が完了した後に表示手段を用いて処理完了結果を表示する表示部１０６、第１のユーザプログラム１０２と第１の付属データ１０３と３つの設定パラメータを記憶するプログラム記憶部１０７並びにＣＰＵユニット１０１の設定パラメータと外部記憶装置１１１の設定パラメータとを比較して処理する処理部１１０から構成される。
処理部１１０は、２つの付属データに含まれる時間情報の新旧を判断する時間情報判断部１０９及び２つの設定パラメータの一致を比較して更新処理、バックアップ処理あるいはリストア処理する比較・演算部１０８から構成される。また、プログラム記憶部１０７には、第１のユーザプログラム１０２、第１の付属データ１０３及び３つの設定パラメータが保存されている。さらに、情報処理装置の一部であるＣＰＵユニット１０１と接続される外部記憶装置１１１には、第２のユーザプログラム１１２、第２の付属データ１１３及び３つの設定パラメータが記憶されている。また、外部記憶装置１１１には、３つの設定パラメータから第２の設定パラメータ１１７を選択するスイッチ１１４が設けられている。外部記憶装置１１１に記憶された３つの設定パラメータから選択されて設定された設定パラメータ１１７は、ＣＰＵユニット１０１が行う更新処理、バックアップ処理あるいはリストア処理のいずれを行うかを左右するパラメータであり、スイッチ１１４の切り替えによりこれら３つの設定パラメータから１つを選択し、設定するものである。なお、３つ以上の複数の設定パラメータを設けても良く、時間をおいて更新するといった設定パラメータ等も考えられる。スイッチ１０４及びスイッチ１１４は、外部表面に設けたスイッチでも良いし、パソコン等の入力装置のプログラミングツールを用いて作業者が予めプログラム記憶部１０７及び外部記憶装置１１１に記憶された３つの設定パラメータから１つを選択し設定できるスイッチであっても良い。また、外部記憶装置記憶１１１あるいはＣＰＵユニット１０１に設定された設定パラメータは１つでも良い。
【００１６】
図１における外部記憶装置１１１とは、ＣＰＵユニット１０１と接続されるＵＳＢフラッシュメモリ、ＳＤカード、パソコン、電子装置等の持ち運びが容易な記録媒体を示す。
【００１７】
スイッチ１０４は、ＣＰＵユニット１０１と外部記憶装置１１１の接続をＩ／Ｏ制御部１０５に検知させるためのものであり、外部記憶装置１１１がＩ／Ｏ制御部１０５に接続された状態でスイッチ１０４の電源をＯＮにすることでＩ／Ｏ制御部１０５が接続を検知する。また、スイッチ１０４には電源をＯＮ／ＯＦＦにするスイッチの他に、ＣＰＵユニット１０１で行われる更新処理、バックアップ処理及びリストア処理の３つのパラメータがプログラム記憶部１０７に記憶されるとともに、そのうち１つが選択され設定される設定パラメータ１１４の変更が可能な切り替えスイッチも設けられている。
【００１８】
ＣＰＵユニット１０１が行う更新処理、バックアップ処理あるいはリストア処理のいずれを行うかを左右する設定パラメータの変更は、パソコン等の入力装置のプログラミングツールを用いてＣＰＵユニット１０１に記憶された３つの設定パラメータのうちから１つが選択し設定できるスイッチ１０４を切り替え、もしくはＣＰＵユニット１０１の外部表面に設けられたスイッチ１０４を切り替えることにより行うことが可能である。また、外部記憶装置１１１についても同様である。
【００１９】
外部記憶装置１１１に記憶された３つの設定パラメータは、ＣＰＵユニット１０１のプログラム記憶部１０７に記憶された第１のユーザプログラム１０２よりも新しい第２のユーザプログラム１１２をＣＰＵユニット１０１へコピーする更新処理、ＣＰＵユニット１０１内の第１のユーザプログラム１０２を外部記憶装置１１１にコピーするバックアップ処理及び外部記憶装置１１１内に記憶された第２のユーザプログラム１１２をＣＰＵユニット１０１のプログラム記憶部１０７へコピーするリストア処理を設定する設定パラメータである。また、外部記憶装置１１１には３つの設定パラメータのうち１つである第２の設定パラメータ１１７が選択されて設定されている。同様に、ＣＰＵユニット１０１のプログラム記憶部１０７には、ＣＰＵユニットにて行われる３つの処理を設定する設定パラメータが記憶されるとともに３つの設定パラメータのうち１つである第１の設定パラメータ１１６が選択され設定されている。
【００２０】
ＣＰＵユニット内のＩ／Ｏ制御部１０５はスイッチ１０４の電源のＯＮによる入力信号あるいはコネクタを介して直接送信される入力信号を電気的に検出する。なお、外部記憶装置１１１の外部表面に信号をＩ／Ｏ制御部１０５に入力するためのＯＮ／ＯＦＦのスイッチを設けるようにしても良い。
【００２１】
また、Ｉ／Ｏ制御部１０５は、ＣＰＵユニット１０１に接続された外部記憶装置１１１に記憶される第２のユーザプログラム１１２、第２の付属データ１１３及びスイッチ１１４で選択されて設定された第２の設定パラメータ１１７を読み出す処理を行う。さらに、Ｉ／Ｏ制御部１０５は、プログラム記憶部１０７に記憶された第１のユーザプログラム、第１の付属データ１０３及びスイッチ１０４で選択されて設定された第１の設定パラメータ１１６を読み出す処理を行う。
【００２２】
ここで、第１の付属データ１０３（第２の付属データ１１３）は、第１のユーザプログラム１０２と第２のユーザプログラム１１２が同一かどうかを特定する固有情報を含めた複数の情報であり、ユーザプログラム名、データ量、更新日時、固有ＩＤ等に類するものにより構成されているものとする。
【００２３】
処理部１１０の比較・演算部１０８は、プログラム記憶部１０７に記憶された第１のユーザプログラム１０２対応するデータが、外部記憶装置１１１からＩ／Ｏ制御部１０５が読み出したユーザプログラム１１２であるかどうかを、第１の付属データ１０３との同一性を比較して判断する。また、外部記憶装置１１１の中に複数のユーザプログラムが記憶されている場合には、外部記憶装置１１１内の付属データの全てと第１の付属データ１０３とを比較する。
また、比較・演算部１０８は、３つの設定パラメータが記憶されたプログラム記憶部１０７からＩ／Ｏ制御部１０５が読み出した第１の設定パラメータ１１６と、３つの設定パラメータが記憶された外部記憶装置１１１からＩ／Ｏ制御部１０５が読み出した第２の設定パラメータ１１７との比較を行う。比較した結果、両者の設定パラメータが異なる場合には更新処理、バックアップ処理及びリストア処理を行わない。
【００２４】
さらに、比較・演算部１０８は、ＣＰＵユニット１０１で選択されて設定された第１の設定パラメータ１１６と外部記憶装置１１１で選択されて設定された第２の設定パラメータ１１７が一致していれば一致した設定パラメータの値に基づいて、更新処理、リストア処理、バックアップ処理のいずれを行うかが決定し、演算処理を行う。
【００２５】
表示部１０５は、比較・演算部１０８の演算処理が完了したことに基づいてＬＥＤ等を点灯あるいは点滅させるものである。例えば、演算が正常に完了した場合にはＬＥＤを点灯させ、異常で終了した場合には、ＬＥＤを点滅させる。
【００２６】
次に、外部記憶装置１１１をＣＰＵユニット１０１内のＩ／Ｏ制御部１０５に接続した際のＣＰＵユニット１０１の動作について説明する。
図２は、図１に示した構成において、Ｉ／Ｏ制御部１０５に外部記憶装置１１１を接続してから、ＣＰＵユニット１０１の処理部１１０が演算処理を完了するまでのＣＰＵユニット１０１内の動作を示すフロー図である。
【００２７】
図２において、外部記憶装置１１１がＣＰＵユニット１０１に接続されたかどうかをステップ２０１にて、ＣＰＵユニット１０１のＩ／Ｏ制御部１０５が判断する。接続されたかどうかの判断方法はＣＰＵユニット１０１に備わるスイッチ１０４、もしくはコネクタを介して直接Ｉ／Ｏ制御部１０５に電気信号を送信する。
【００２８】
外部記憶装置１１１が接続されたとＩ／Ｏ制御部１０５が判断すれば、外部記憶装置１１１に記憶されている第２の設定パラメータ１１７並びに第２のユーザプログラム１１２及び第２の付属データ１１４の読み出し処理(ステップ２０２)に進む。
一方で、外部記憶装置１１１がＩ／Ｏ制御部１０５に接続されていないと判断した場合は処理完了となり、ＣＰＵユニット１０１は何も行わない。
【００２９】
ステップ２０２では、外部記憶装置１１１に記憶された第２のユーザプログラム１１２及び第２の付属データ１１３並びにスイッチ１１４により選択され設定された第２の設定パラメータ１１７をＩ／Ｏ制御部１０５が読み出す。また、Ｉ／Ｏ制御部１０５は、ＣＰＵユニット１０１のプログラム記憶部１０７に記憶された第１のユーザプログラム及び第１の付属データ並びにスイッチ１０４により選択され設定された第１の設定パラメータ１１６を読み出す。
読み出し処理が完了するとステップ２０３に進む。もし、外部記憶装置１１１内に第２のユーザプログラム１１２、第２の付属データ１１３がなければそこで処理完了となる。
【００３０】
ステップ２０３では、Ｉ／Ｏ制御部１０５の読み出した第２のユーザプログラム１１２がＣＰＵユニット１０１内のプログラム記憶部１０７に記憶された第１のユーザプログラム１０２に対応するデータかどうかを比較・演算部１０８が判断する。この際、第１のユーザプログラム１０２に付随する第１の付属データ１０３のユーザプログラム名や固有ＩＤ等の固有情報と、第２のユーザプログラム１１２に付随する第２の付属データ１１３のユーザプログラム名や固有ＩＤ等の固有情報の同一性を判断し、同一のものを第１のユーザプログラム１０２及び第２のユーザプログラム１１２を更新処理、リストア処理あるいはバックアップ処理の対象とする。もし、対応するデータが存在すれば、ステップ２０４に進む。
一方、対応するデータがなければ処理完了としＣＰＵユニット１０１は以後処理を行わない。
【００３１】
ステップ２０４では、ＣＰＵユニット１０１のスイッチ１０４によって選択され設定された第１の設定パラメータ１１６並びにスイッチ１１４によって選択され設定された第２の設定パラメータ１１７が一致しているかどうかを比較・演算部１０８が判断する。一致していた場合には、ステップ２１０で外部記憶装置１１１から読み出した第２の設定パラメータ１１７、つまりＣＰＵユニット１０１のスイッチ１０４に設定された第１の設定パラメータ１１６の値を確認し、更新処理、リストア処理あるいはバックアップ処理に移行する。
【００３２】
ステップ２０４で一致した、ＣＰＵユニット１０１のスイッチ１０４によって選択され設定された設定パラメータ並びにスイッチ１１４によって選択され設定された第２の設定パラメータ１１７が更新処理である場合には、ステップ２０５に進む。ステップ２０５では、時間情報判断部１０９が、ステップ２０３で対応する第１のユーザプログラム１０２と第２のユーザプログラム１１２のそれぞれの付属データに含まれる時間情報を基に時間の新旧による比較を行う。つまり、時間情報判断部１０９でＣＰＵユニット１０１内の第１の付属データ１０３の日時が外部記憶装置１１１の第２の付属データ１１３の日時よりも古いと判断された場合にはステップ２０８に進み、比較・演算部１０８が外部記憶装置１１１の第１のユーザプログラム１０２をＣＰＵユニット内のプログラム記憶部１０７にコピーして書き換え、演算処理を完了する。
一方、ＣＰＵユニット１０１内の第１の付属データ１０３の日時が外部記憶装置１１１の第２の付属データ１１３の日時よりも新しいと判断された場合には、演算処理を完了する。
【００３３】
また、ステップ２０４で一致した第１の設定パラメータ１１６及び第２の設定パラメータ１１７がリストア処理である場合には、ステップ２０６に進む。リストア処理はデータを復旧させるための処理であるため、時間情報判断部１０９はステップ２０３で対応した第１のユーザプログラム１０２と第２のユーザプログラム１１２のそれぞれの付属データの時間の新旧による比較を行うことなく、外部記憶装置１１１内の第２のユーザプログラム１１４をＣＰＵユニット内のプログラム記憶部１０７にコピーし、演算処理を完了する。
【００３４】
さらに、ステップ２０４で一致した第１の設定パラメータ１１６及び第２の設定パラメータ１１７がバックアップ処理である場合には、ステップ２０７に進む。ステップ２０７では、時間情報判断部１０９がステップ２０３で対応した第１のユーザプログラム１０２と第２のユーザプログラム１１２のそれぞれの付属データの時間の新旧による比較を行い、ＣＰＵユニット１０１内の第１の付属データ１０３の日時が外部記憶装置１１１の第２の付属データ１１３の日時よりも新しいと判断された場合にはステップ２０９に進み、比較・演算部１０８が外部記憶装置１１１の第２のユーザプログラム１１２をＣＰＵユニット１０１内のプログラム記憶部１０７にコピーして書き換え、演算処理を完了する。
一方で、ステップ２０７において、ＣＰＵユニット１０１内の第１の付属データ１０３の日時が外部記憶装置１１１の第２の付属データ１１３の日時よりも古いと判断された場合には、古いデータを外部記憶装置１１１にコピーする必要がないため、演算処理を完了する。
【００３５】
ＣＰＵユニット１０１は、前記ステップ２０１〜ステップ２０９の処理が完了したことを、ＣＰＵユニット１０１もしくは周辺に設けた機器が有するＬＥＤ等の表示手段をもって外部に通知することが可能である。
例えば、更新処理、リストア処理あるいはバックアップ処理が正常に完了した場合にはＬＥＤを点灯させ、処理エラーによる完了の場合には、ＬＥＤを点滅させる。これにより、正常に処理が完了したかどうかが一目瞭然となる。
【００３６】
上記のような実施の形態１の情報処理装置１１５によれば、第１のユーザプログラム１０２の第１の付属データ１０２に含まれる固有情報と第２のユーザプログラム１１２の第２の付属データ１１３に含まれる固有情報とが同一である第１のユーザプログラム１０２及び第２のユーザプログラム１１２において、ＣＰＵユニット１０１のスイッチ１０４の選択により設定された第１の設定パラメータ１１６と、外部記憶装置１１１のスイッチ１１４の選択により設定された第２の設定パラメータ１１７の一致を比較して、一致した場合には、一致した設定パラメータにより第１のユーザプログラム１０２及び第２のユーザプログラム１１２が保存された時間の新旧を判断して第１のユーザプログラム１０２の更新処理、バックアップ処理あるいはリストア処理を実施するので、作業者はＣＰＵユニット内のユーザプログラム、外部記憶装置内のユーザプログラムの新旧を確認する必要がなく更新処理、バックアップ処理、リストア処理を実施でき、作業者が誤ってデータを書換えてしまうのを防止することができる。
【００３７】
また、更新処理、バックアップ処理あるいはリストア処理をするためにパソコンをＣＰＵユニット１０１に接続してパソコン上のプログラミングツールを使用することを必要とせず、それら機器を取り扱う作業者の訓練・教育が不要となる。
【００３８】
上記では、ＣＰＵユニット１０１に設定パラメータを切り替えて設定するためのスイッチ１０４を設ける例を示したが、必ずしも設ける必要はない。また、３つの設定パラメータをプログラム記憶部１０７に記憶させておく必要もない。つまり、スイッチ１０４は電源ＯＮ／ＯＦＦ用だけのスイッチとし、ＣＰＵユニット１０１には設定パラメータを設定しない構成とすることもできる。図３は、外部記憶装置１１１にのみ設定パラメータ変更用のスイッチが設けられている場合のフロー図である。なお、上記に示した構成及び動作と同一のものは適宜省略する。
【００３９】
外部記憶装置１１１がＣＰＵユニット１０１内のＩ／Ｏ制御部１０５に接続されると、ステップ２０２において、外部記憶装置１１１に記憶された第２のユーザプログラム１１２、第２の付属データ１１３及び第２の設定パラメータ１１７を読み出す。
【００４０】
もし、外部記憶装置１１１内に第２のユーザプログラム１１２、第２の付属データ１１３及び第２の設定パラメータ１１７がなければそこで処理完了となる。
【００４１】
ステップ２０３では、Ｉ／Ｏ制御部１０５の読み出した第２のユーザプログラム１１２がＣＰＵユニット１０１内のプログラム記憶部１０７に記憶された第１のユーザプログラム１０２に対応するデータかどうかを比較・演算部１０８が判断する。この際、第１のユーザプログラム１０２に付随する第１の付属データ１０３のユーザプログラム名や固有ＩＤ等の固有情報と、第２のユーザプログラム１１２に付随する第２の付属データ１１３のユーザプログラム名や固有ＩＤ等の固有情報の同一性を判断し、同一のものを第１のユーザプログラム１０２に対応する第２のユーザプログラム１１２として更新処理、リストア処理あるいはバックアップ処理の対象とする。もし、対応するデータ、つまり第１の付属データ１０３の固有情報と第２の付属データ１１３の固有情報が同一である第１のユーザプログラム１０２に対する第２のユーザプログラム１１２が存在すれば、ステップ２０４に進む。
一方、対応するデータがなければ処理完了としＣＰＵユニット１０１は以後処理を行わない。
【００４２】
ステップ２０２で読み出し、スイッチ１１４で選択され設定された第２の設定パラメータ１１７が、更新処理である場合にはステップ２０５に進み、リストア処理である場合にはステップ２０６に進み、バックアップ処理である場合にはステップ２０７に進む。ステップ２０５、ステップ２０６、ステップ２０７の処理は上記に示したとおりである。
【００４３】
これにより、第１のユーザプログラム１０２の第１の付属データ１０２に含まれる固有情報と第２のユーザプログラム１１２の第２の付属データ１１３に含まれる固有情報とが同一である第１のユーザプログラム１０２及び第２のユーザプログラム１１２において、外部記憶装置１１１のスイッチ１１４の選択により設定された第２の設定パラメータ１１７により第１のユーザプログラム１０２及び第２のユーザプログラム１１２が保存された時間の新旧を判断して第１のユーザプログラム１０２の更新処理、バックアップ処理あるいはリストア処理を実施するので、作業者はＣＰＵユニット内のユーザプログラム、外部記憶装置内のユーザプログラムの新旧を確認する必要がなく更新処理、バックアップ処理、リストア処理を実施でき、作業者が誤ってデータを書換えてしまうのを防止することができる。
【００４４】
また、更新処理、バックアップ処理あるいはリストア処理をするためにパソコンをＣＰＵユニット１０１に接続してパソコン上のプログラミングツールを使用することを必要とせず、それら機器を取り扱う作業者の訓練・教育が不要となる。
【００４５】
また、上記では外部記憶装置１１１に設定パラメータを切り替えるためのスイッチを設ける例を示したが、必ずしも外部記憶装置１１１に第２の設定パラメータを設定する必要はない。また、３つの設定パラメータを外部記憶装置１１１に記憶させておく必要もない。図４は、ＣＰＵユニット１０１にのみ設定パラメータ変更用のスイッチが設けられている場合のフロー図である。なお、上記に示した構成及び動作と同一のものは適宜省略する。
【００４６】
外部記憶装置１１１がＣＰＵユニット１０１内のＩ／Ｏ制御部１０５に接続されると、ステップ２０２において、外部記憶装置１１１に記憶された第２のユーザプログラム１１２、第２の付属データ１１３を読み出す。また、この時、ＣＰＵユニット１０１に記憶された第２のユーザプログラム１１２及び第２の付属データ１１３並びにＣＰＵユニット１０１に設けられた設定パラメータ変更用のスイッチ１０４で設定された第１の設定パラメータ１１６をも読み出す。
【００４７】
もし、外部記憶装置１１１内に第２のユーザプログラム１１２及び第２の付属データ１１３がなければそこで処理完了となる。
【００４８】
ステップ２０３では、Ｉ／Ｏ制御部１０５の読み出した第２のユーザプログラム１１２がＣＰＵユニット１０１内のプログラム記憶部１０７に記憶された第１のユーザプログラム１０２に対応するデータかどうかを比較・演算部１０８が判断する。この際、第１のユーザプログラム１０２に付随する第１の付属データ１０３のユーザプログラム名や固有ＩＤ等の固有情報と、第２のユーザプログラム１１２に付随する第２の付属データ１１３のユーザプログラム名や固有ＩＤ等の固有情報の同一性を判断し、同一のものを第１のユーザプログラム１０２に対応する第２のユーザプログラム１１２として更新処理、リストア処理あるいはバックアップ処理の対象とする。もし、対応するデータ、つまり第１の付属データ１０３の固有情報と第２の付属データ１１３の固有情報が同一である第１のユーザプログラム１０２に対する第２のユーザプログラム１１２が存在すれば、ステップ２０４に進む。
一方、対応するデータがなければ処理完了としＣＰＵユニット１０１は以後処理を行わない。
【００４９】
ステップ２０２で読み出したＣＰＵユニット１０１のスイッチ１０４で選択され設定された第１の設定パラメータ１１６が、更新処理である場合にはステップ２０５に進み、リストア処理である場合にはステップ２０６に進み、バックアップ処理である場合にはステップ２０７に進む。ステップ２０５、ステップ２０６、ステップ２０７の処理は上記に示したとおりである。
【００５０】
これにより、第１のユーザプログラム１０２の第１の付属データ１０２に含まれる固有情報と第２のユーザプログラム１１２の第２の付属データ１１３に含まれる固有情報とが同一である第１のユーザプログラム１０２及び第２のユーザプログラム１１２において、ＣＰＵユニット１０１のスイッチ１０４の選択により設定された第１の設定パラメータ１１６により第１のユーザプログラム１０２及び第２のユーザプログラム１１２が保存された時間の新旧を判断して第１のユーザプログラム１０２の更新処理、バックアップ処理あるいはリストア処理を実施するので、作業者はＣＰＵユニット内のユーザプログラム、外部記憶装置内のユーザプログラムの新旧を確認する必要がなく更新処理、バックアップ処理、リストア処理を実施でき、作業者が誤ってデータを書換えてしまうのを防止することができる。
【００５１】
また、更新処理、バックアップ処理あるいはリストア処理をするためにパソコンをＣＰＵユニット１０１に接続してパソコン上のプログラミングツールを使用することを必要とせず、それら機器を取り扱う作業者の訓練・教育が不要となる。
【符号の説明】
【００５２】
１０１    ＣＰＵユニット
１０２    第１のユーザプログラム
１０３    第１の付属データ
１０４    スイッチ
１０５    Ｉ／Ｏ制御部
１０６    表示部
１０７    プログラム記憶部
１０８    比較・演算部
１０９    時間情報判断部
１１０    処理部
１１１    外部記憶装置
１１２    第２のユーザプログラム
１１３    第２の付属データ
１１４    スイッチ
１１５    情報処理装置
１１６    第１の設定パラメータ
１１７    第２の設定パラメータ
【図１】
2012085963.tif 000003
【図２】
2012085963.tif 000004
【図３】
2012085963.tif 000005
【図４】
2012085963.tif 000006
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
ＣＰＵユニットと、
当該ＣＰＵユニットと接続され、第２のユーザプログラム及び前記第２のユーザプログラムの付属データが記憶され、前記ＣＰＵユニットにて行われる複数の処理を設定する設定パラメータが記憶されるとともに前記複数の設定パラメータから第２の設定パラメータが選択され設定された外部記憶装置と、
を備え、
前記ＣＰＵユニットは、
第１のユーザプログラム及び前記第１のユーザプログラムの付属データが記憶され、前記ＣＰＵユニットにて行われる複数の処理を設定する設定パラメータが記憶されるとともに前記複数の設定パラメータから第１の設定パラメータが選択され設定された記憶部と、
前記第１のユーザプログラム、前記第１のユーザプログラムの付属データ及び前記第１の設定パラメータを前記記憶部から読み出し、前記第２のユーザプログラム、前記第２のユーザプログラムの付属データ及び前記第２の設定パラメータを前記外部記憶装置から読み出すＩ／Ｏ制御部と、
前記外部記憶装置及び前記記憶部に記憶された複数の設定パラメータは少なくとも更新処理、バックアップ処理及びリストア処理を設定する設定パラメータを含み、前記第１の設定パラメータ及び前記第２の設定パラメータとの一致を比較して、一致している場合には一致した前記第１の設定パラメータ及び前記第２の設定パラメータにより示された処理を行う比較・演算部と、
を有することを特徴とする情報処理装置。
【請求項２】
ＣＰＵユニットと、
当該ＣＰＵユニットと接続され、第２のユーザプログラム及び前記第２のユーザプログラムの付属データが記憶され、前記ＣＰＵユニットにて行われる処理を設定する設定パラメータが第２の設定パラメータとして設定された外部記憶装置と、
を備え、
前記ＣＰＵユニットは、
第１のユーザプログラム及び前記第１のユーザプログラムの付属データが記憶され、前記ＣＰＵユニットにて行われる複数の処理を設定する設定パラメータが記憶されるとともに前記複数の設定パラメータから第１の設定パラメータが選択され設定された記憶部と、
前記第１のユーザプログラム、前記第１のユーザプログラムの付属データ及び前記第１の設定パラメータを前記記憶部から読み出し、前記第２のユーザプログラム、前記第２のユーザプログラムの付属データ及び前記第２の設定パラメータを前記外部記憶装置から読み出すＩ／Ｏ制御部と、
前記記憶部に記憶された複数の設定パラメータは少なくとも更新処理、バックアップ処理及びリストア処理を設定する設定パラメータを含み、前記第１の設定パラメータ及び前記第２の設定パラメータとが一致している場合には一致した前記第１の設定パラメータ及び前記第２の設定パラメータにより示された処理を行う比較・演算部と、
を有することを特徴とする情報処理装置。
【請求項３】
前記ＣＰＵユニットに設定された前記第１の設定パラメータは前記ＣＰＵユニットに設けられたスイッチの切り替えにより選択されて設定された設定パラメータであり、前記外部記憶装置に設定された前記第２の設定パラメータは前記外部記憶装置に設けられたスイッチの切り替えにより選択されて設定された設定パラメータであることを特徴とする請求項１又は２に記載の情報処理装置。
【請求項４】
ＣＰＵユニットと前記ＣＰＵユニットに接続された外部記憶装置を有する情報処理装置において、
ＣＰＵユニットと、
当該ＣＰＵユニットと接続され、第２のユーザプログラム及び前記第２のユーザプログラムの付属データが記憶され、前記ＣＰＵユニットにて行われる複数の処理を設定する設定パラメータが記憶されるとともに前記複数の設定パラメータから設定パラメータが選択され設定された外部記憶装置と、
を備え、
前記ＣＰＵユニットは、
第１のユーザプログラム及び前記第１のユーザプログラムの付属データが記憶された記憶部と、
前記第１のユーザプログラム及び前記第１のユーザプログラムの付属データを前記記憶部から読み出し、前記第２のユーザプログラム、前記第２のユーザプログラムの付属データ及び前記複数の設定パラメータから選択され設定された設定パラメータを前記外部記憶装置から読み出すＩ／Ｏ制御部と、
前記外部記憶装置に記憶された複数の設定パラメータは少なくとも更新処理、バックアップ処理及びリストア処理を設定する設定パラメータを含み、前記複数の設定パラメータから選択され設定された設定パラメータにより示された処理を行う比較・演算部と、
を有することを特徴とする情報処理装置。
【請求項５】
前記複数の設定パラメータから選択され設定された設定パラメータは前記外部記憶装置に設けられたスイッチの切り替えにより選択されて設定された設定パラメータである
ことを特徴とする請求項４に記載の情報処理装置。
【請求項６】
ＣＰＵユニットと、
当該ＣＰＵユニットと接続され、第２のユーザプログラム及び前記第２のユーザプログラムの付属データが記憶された外部記憶装置と、
当該外部記憶装置と接続されるＣＰＵユニットと、
を備え、
前記ＣＰＵユニットは、
第１のユーザプログラム及び前記第１のユーザプログラムの付属データが記憶され、前記ＣＰＵユニットにて行われる複数の処理を設定する設定パラメータが記憶されるとともに前記複数の設定パラメータから設定パラメータが選択され設定された記憶部と、
前記第１のユーザプログラム、前記第１のユーザプログラムの付属データ及び前記複数の設定パラメータから選択され設定された設定パラメータを前記記憶部から読み出し、前記第２のユーザプログラム及び前記第２のユーザプログラムの付属データを前記外部記憶装置から読み出すＩ／Ｏ制御部と、
前記記憶部に記憶された複数の設定パラメータは少なくとも更新処理、バックアップ処理及びリストア処理を設定する設定パラメータを含み、前記複数の設定パラメータから選択され設定された設定パラメータにより示された処理を行う比較・演算部と、
を有することを特徴とする情報処理装置。
【請求項７】
前記複数の設定パラメータから選択され設定された設定パラメータは前記ＣＰＵユニットに設けられたスイッチの切り替えにより選択されて設定された設定パラメータである
ことを特徴とする請求項６に記載の情報処理装置。
【請求項８】
前記ＣＰＵユニットは、更に、
前記第１のユーザプログラムの付属データに含まれる固有情報と前記第２のユーザプログラムの付属データに含まれる固有情報とが同一である前記第１のユーザプログラム及び前記第２のユーザプログラムが保存された時間の新旧を、前記第１のユーザプログラムの付属データに含まれる時間情報と前記第２のユーザプログラムの付属データに含まれる時間情報との比較により判断する時間情報判断部
を備え、
前記更新処理は、前記第１のユーザプログラムの付属データに含まれる日時情報が前記第２のユーザプログラムの付属データに含まれる日時情報よりも新しいと前記時間情報判断部が判断した場合には、前記比較・演算部が前記第２のユーザプログラムを前記記憶部にコピーして書き換える処理であり、
前記バックアップ処理は、前記第１のユーザプログラムの付属データに含まれる日時情報が前記第２のユーザプログラムの付属データに含まれる日時情報よりも新しいと前記時間情報判断部が判断した場合には、前記比較・演算部が前記第２のユーザプログラムを前記記憶部にコピーして書き換える処理であり、
前記リストア処理は、前記第１のユーザプログラムの付属データに含まれる日時情報と前記第２のユーザプログラムの付属データに含まれる日時情報との比較を行うことなく、前記比較・演算部が前記第２のユーザプログラムを前記プログラム記憶部にコピーして書き換える処理である
ことを特徴とする請求項１、２、４、６のいずれかに記載の情報処理装置。
【手続補正２】
【補正対象書類名】明細書
【補正対象項目名】００１０
【補正方法】変更
【補正の内容】
【００１０】
この発明に係る情報処理装置は、ＣＰＵユニットと、当該ＣＰＵユニットと接続され、第２のユーザプログラム及び第２のユーザプログラムの付属データが記憶され、ＣＰＵユニットにて行われる複数の処理を設定する設定パラメータが記憶されるとともに複数の設定パラメータから第２の設定パラメータが選択され設定された外部記憶装置と、を備え、ＣＰＵユニットは、第１のユーザプログラム及び第１のユーザプログラムの付属データが記憶され、ＣＰＵユニットにて行われる複数の処理を設定する設定パラメータが記憶されるとともに複数の設定パラメータから第１の設定パラメータが選択され設定された記憶部と、第１のユーザプログラム、第１のユーザプログラムの付属データ及び第１の設定パラメータを記憶部から読み出し、第２のユーザプログラム、第２のユーザプログラムの付属データ及び第２の設定パラメータを外部記憶装置から読み出すＩ／Ｏ制御部と、外部記憶装置及び記憶部に記憶された複数の設定パラメータは少なくとも更新処理、バックアップ処理及びリストア処理を設定する設定パラメータを含み、第１の設定パラメータ及び第２の設定パラメータとの一致を比較して、一致している場合には一致した第１の設定パラメータ及び第２の設定パラメータにより示された処理を行う比較・演算部と、を有することを特徴とする情報処理装置。
【国際調査報告】
2012085963.tif 000007
2012085963.tif 000008